(57)【要約】      （修正有）【課題】薄いセルパネルを反転させることなく両面に切断線をスクライブする切断装置を提供する。【解決手段】下側ステージＣは、中空のボックス１で、頂壁に無数の小孔を形成して、ボックス１内を吸引することで、ボックス１の上面に液晶パネルＡを吸引保持する。そして、下側ステージＣは、旋回手段Ｄとしての可逆モーター３の回転軸４の上端にボックス１の下面中心を取り付けて、モーター３の運転により下側ステージＣを時計、反時計方向に旋回させることができる。下側ステージＣの直上には、下面に下側ステージＣ上の液晶パネルＡを吸引荷受けする吸引保持機能付きの上側ステージＥが配置し、この上側ステージＥは、中空のボックス５で、底壁に無数の小孔を形成して、ボックス５内を吸引することで、ボックス５の下面に液晶パネルＡを吸引保持する。【選択図】図１
0003184600.tif 000002
【実用新案登録請求の範囲】
【請求項１】
上面に荷受けした大判な液晶パネルを支持する吸引保持機能を有し、かつ上記液晶パネルを旋回させる旋回手段付きの下側ステージと、この下側ステージの直上に、下面に液晶パネルを支持する吸引保持機能を有し、かつ上記液晶パネルを旋回させる旋回手段及び上記液晶パネルを昇降手段により昇降させるように設けた上側ステージと、この上昇退避位置の上側ステージ上記下側ステージとの間を走行手段により前後方向に進退走行するように設けた門形のフレームと、このフレームの水平バー材の両端間に並列状に複数位置変更可能に設けた昇降スライドベースと、この各ベースの上下に昇降手段による上記ベースの上昇で上記上側ステージの下面に保持してある上記液晶パネルの下面に切断線をスクライブするように設けた上側カッタ及び昇降手段によるベースの降下で上記下側ステージの上面に保持してある上記液晶パネルの上面に切断線をスクライブするように設けた下側カッタと、上記下側ステージの手前に供給した液晶パネル及びこの液晶パネルの下側に人手により供給した合紙を待機させるように設けた待機台と、この待機台に前記待機と前方の下側ステージの上側との間でガイド手段により進退走行するようにガイドすると共に、上記供給した液晶パネルを荷受けするように設けた走行体と、上記待機台の供給上記合紙を上記下側ステージ上に引き入れ、かつ下側ステージ上の上記合紙を引き出すように設けた合紙入れ込み兼払い出し装置とからなる薄板セルパネルの切断装置。
【請求項２】
前記フレームの水平バー材に下側ステージ上の液晶パネルの上面スクライブしてある切断線を折割する折割装置を設けたことを特徴とする請求項１に記載の薄板セルパネルの切断装置。
【請求項３】
前記上側カッタ及び下側カッタが、門形フレームの水平バー材に設けてあるガイドにより上下方向にスライドする軽量なベースの上下端のカッタホルダに取り付けると共に、上記ベースの片方の板面にガイドにより上下方向にスライドするバランスウエイトを設け、昇降手段の作用にともない上記ベースのスライド方向の反対方向に上記バランスウエイトがスライドするように連動機構を介し連動させたことを特徴とする請求項１に記載の薄板セルパネルの切断装置。
【考案の詳細な説明】
【技術分野】
【０００１】
この考案は、薄い（薄板）セルパネルを反転させることなく両面に切断線をスクライブする切断装置に関する。
【背景技術】
【０００２】
液晶パネルを反転させることなく両面に切断線をスクライブする方式は、すでに知られている（特許文献１及び２参照）。
【先行技術文献】
【特許文献】
【０００３】
【特許文献１】特開平５−２２１６７２号公報
【特許文献２】特開２００３−１１９０４３号公報
【考案の概要】
【考案が解決しようとする課題】
【０００４】
ところで、特許文献１及び２の方式によると、下側のテーブルや第１のステージの上面に供給した吸引保持パネルの上面にカッタにより切断線をスクライブしたのち、下側のテーブルや第１のステージ上のパネルを上側のテーブルや第２のステージの下面に吸引保持させて荷受けしたのち、この荷受けパネルの下面にカッタにより切断線をスクライブする。すると、パネルを反転させることなく、パネルの両面に切断線をスクライブすることができる。
【０００５】
しかしながら、両面に切断線のスクライブずみパネルを次加工（例えば折割）に払い出す場合、吸引式や人手により搬出することになる。
【０００６】
ところで、パネルの板の厚みが厚い場合、何らパネルに影響を及ぼすことなく払い出すことができるが、近時パネルの薄板化にともない払い出しに吸引方式を採用すると、パネルの浮上にともないパネルが大きく撓んでスクライブによる切断線が分断したり、分断にともなう切断縁に欠損などが生じる。
このため、不良品の発生原因になる。
【０００７】
なお、吸盤の並列数配置数を多くして、パネルの撓みを減少することも考えられるが、吸盤とパネルとの接触にともないパネル面を汚し、汚れにともない不良品の発生原因になり、また汚れを洗浄することで手間がかかると共に、大幅なコストアップになる。
【０００８】
また、パネルに無理な力がかからないように人手による払い出しも考えられる。
しかしながら、人手による払い出しにともないテーブル上でパネルをすべらせると、パネルの板面を汚したり傷を付ける問題も発生する。
【０００９】
特に、パネルを折割する際、次加工の折割位置迄パネルを払い出して供給するので、著しく手数がかかると共に、次工程での折割位置（切断線をブレークバーとの合致調整など）決定に手数がかかって、大幅な能率低下をまねき、また分断にともなう製品サイズのパネルの取り出しが大変であった。
【００１０】
そこで、この考案の課題は、上述の問題を解消した薄板セルパネルの切断装置を提供することにある。
【課題を解決するための手段】
【００１１】
上記の課題を解決するために、この考案は、上面に荷受けした大判な液晶パネルを支持する吸引保持機能を有し、かつ上記液晶パネルを旋回させる旋回手段付きの下側ステージと、この下側ステージの直上に、下面に液晶パネルを支持する吸引保持機能を有し、かつ上記液晶パネルを旋回させる旋回手段及び上記液晶パネルを昇降手段により昇降させるように設けた上側ステージと、この上昇退避位置の上側ステージ上記下側ステージとの間を走行手段により前後方向に進退走行するように設けた門形のフレームと、このフレームの水平バー材の両端間に並列状に複数位置変更可能に設けた昇降スライドベースと、この各ベースの上下に昇降手段による上記ベースの上昇で上記上側ステージの下面に保持してある上記液晶パネルの下面に切断線をスクライブするように設けた上側カッタ及び昇降手段によるベースの降下で上記下側ステージの上面に保持してある上記液晶パネルの上面に切断線をスクライブするように設けた下側カッタと、上記下側ステージの手前に供給した液晶パネル及びこの液晶パネルの下側に人手により供給した合紙を待機させるように設けた待機台と、この待機台に前記待機と前方の下側ステージの上側との間でガイド手段により進退走行するようにガイドすると共に、上記供給した液晶パネルを荷受けするように設けた走行体と、上記待機台の供給上記合紙を上記下側ステージ上に引き入れ、かつ下側ステージ上の上記合紙を引き出すように設けた合紙入れ込み兼払い出し装置とからなる構成を採用する。
【００１２】
また、前記フレームの水平バー材に下側ステージ上の液晶パネルの上面スクライブしてある切断線を折割する折割装置を設けた構成を採用する。
【００１３】
さらに、前記上側カッタ及び下側カッタが、門形フレームの水平バー材に設けてあるガイドにより上下方向にスライドする軽量なベースの上下端のカッタホルダに取り付けると共に、上記ベースの片方の板面にガイドにより上下方向にスライドするバランスウエイトを設け、昇降手段の作用にともない上記ベースのスライド方向の反対方向に上記バランスウエイトがスライドするように連動機構を介し連動させた構成を採用する。
【考案の効果】
【００１４】
以上のように、この考案の薄板パネルの切断装置によれば、上下に上側のみが昇降する上側ステージと下側ステージを対向させ、この上下の上側ステージと下側ステージとの間で前後方向に往復走行する門形フレームに昇降手段により昇降する上側カッタ及び下側カッタを設けてあるので、門形フレームを往復走行させながら待機台から下側ステージにガイド手段により走行体を走行させて供給した下側ステージ上の吸引保持液晶パネル上面に下側カッタで切断線を、上側ステージの吸引保持液晶パネルの下面に上側カッタで切断線をスクライブすると共に、旋回手段により下側ステージ及び上側ステージを９０°旋回させることで上述の切断線を二方向に交差させることができる極めて能率のよいスクライブができる。
【００１５】
また、入れ込み兼払い出し装置の前進にともない待機台から下側ステージの上に合紙を引き込み、走行体を前進させて走行体に搭載してある液晶パネルを下側ステージの上方に搬入することで、上側ステージを降下させて上側ステージの下面に走行体上の液晶パネルを吸引荷受けすることができ、上側ステージを上昇させ、かつ入れ込み兼払い出し装置を後退させ、フレームを走行させることで、上側ステージの吸引保持液晶パネルの下面に上側カッタで切断線をスクライブすることができる。
【００１６】
さら、下面にスクライブずみ液晶パネルは、下側ステージ上に荷下ろし後吸引保持して、フレームを走行させて下側カッタで液晶パネルの上面にスクライブすることができ、また上側ステージの下面に保持した液晶パネルの下面と下側ステージの上面に保持した液晶パネルの上面とにフレームを往復（前後方向に）走行させる際に上側カッタと下側カッタとで能率よくスクライブすることができる。
【００１７】
勿論、下側ステージ上の液晶パネルの下側に合紙が存在するので、入れ込み兼払い出し装置により合紙を払い出しながら、合紙上の上下面スクライブずみ液晶パネルをスムーズに払い出す。
【００１８】
特に、搭載してある液晶パネルを走行体により搬入することができるので、スクライブずみ液晶パネルを下側ステージに受け渡したのち、上昇待機した空の上側ステージに下側ステージの直上に走行した走行体上の液晶パネルを空の上側ステージに吸引保持させることができる。
【００１９】
このため、下側ステージと載置液晶パネルとの接触がないため液晶パネルを汚したり傷を付けることがないと共に、合紙と共に液晶パネルを払い出すことで液晶パネルが薄い大判であっても極めてスムーズな、すなわち液晶パネルに何ら影響を及ぼすことなく払い出すことができる。
【００２０】
また、門形フレームに折割装置を設けてあるので、合紙上の上下面スクライブ済み液晶パネルの切断線を折割することができると共に、下側ステージの９０°旋回により二方向の切断線を折割することができ、折割した製品サイズの小割液晶パネルを合紙の上に残すことになるので、合紙の上に製品サイズの液晶パネルを存在（残置）させて一度に払い出すことができて、下側ステージ上の製品サイズの液晶パネルの回収に手間のかかる問題をなくすることができると共に、大幅な能率アップになる。
【００２１】
さらに、上下に上側カッタ及び下側カッタを有するスライダの板面側にバランスをスライド自在に並設すると共に、昇降手段によるスライダの上下方向のスライドにともないスライダのスライド方向の反対方向にバランスウエイトがスライドする連動機構を設けてあるので、カッタ加重バランスが取れる。
このため、昇降手段による加圧力が最適となって、良好なスクライブが可能になる。
【図面の簡単な説明】
【００２２】
【図１】この考案の実施形態を示す側面図である。
【図２】同上の平面図である。
【図３】同一部切欠背面図である。
【図４】同一部切欠正面図である。
【図５】ガイド手段により走行体の走行を示す縦断正面図である。
【図６】走行体部分の液晶パネルと合紙とを示す縦断正面図である。
【図７】折割装置及びカッタを示す縦断拡大側面図である。
【図８】カッタの部分を示す拡大正面図である。
【図９】同上の作用を示す正面図である。
【図１０】カッタの昇降連動機構の他の例を示す側面図である。
【図１１】合紙の引き込みを示す拡大側面図である。
【図１２】同上の平面図である。
【図１３】下側ステージ上の液晶パネルに対する下側カッタによるスクライブを示す側面図である。
【図１４】同上の平面図である。
【図１５】上側ステージの荷受けを示す側面図である。
【図１６】同上の荷受け後の上側カッタによるスクライブを示す側面図である。
【図１７】上側ステージによる下側ステージへの受け渡しを示す側面図である。
【図１８】液晶パネルの上面スクライブを示す側面図である。
【図１９】同上の平面図である。
【図２０】折割を示す側面図である。
【図２１】同上の平面図である。
【図２２】折割ずみ液晶パネルの払い出しを示す側面図である。
【考案を実施するための形態】
【００２３】
この考案の実施形態を添付図面に基づいて説明する。
この考案の第１の実施形態を示す図１から図７に示すＣは、上面に荷受けした大判な薄い液晶パネルＡを支持する吸引保持機能付きの下側ステージである。
【００２４】
この下側ステージＣは、図３に示すように中空のボックス１で、頂壁に無数の小孔２を形成して、ボックス１内を吸引することで、ボックス１の上面に液晶パネルＡを吸引保持するようになっている。
【００２５】
そして、下側ステージＣは、旋回手段Ｄとしての可逆モーター３の回転軸４の上端にボックス１の下面中心を取り付けて、モーター３の運転により下側ステージＣを時計、反時計方向に旋回させることができるようにしてある。
【００２６】
下側ステージＣの直上には、下面に下側ステージＣ上の液晶パネルＡを吸引荷受けする吸引保持機能付きの上側ステージＥが配置してある。
【００２７】
この上側ステージＥは、図３に示すように中空のボックス５で、底壁に無数の小孔６を形成して、ボックス５内を吸引することで、ボックス５の下面に液晶パネルＡを吸引保持するようになっている。
【００２８】
そして、ベース７の下面に据え付けてある旋回手段Ｆとしての可逆モーター８の回転軸９の下端をボックス５の上面中心に取り付けて、モーター８の運転により上側ステージＥを時計、反時計方向に旋回させるようにしてあり、また図１に示すように支持部材１０に設けた少なくとも二条のガイドレール１１によりボックス５を上下方向にガイドすると共に、支持部材１０上に据え付けた昇降手段１２としてのシリンダを支持部材１０に連続して、上側ステージＥを昇降させるようにしてある。
【００２９】
上記下側ステージＣ上には、合紙Ｂ、次いで液晶パネルＡを供給するようになっている。
上記の供給方式は、図１から図４に示すように下側ステージＣの手前に設けてある待機台Ｇの下位に例えば人手により合紙Ｂが、次いで待機台Ｇの上位走行体６１上に例えば人手により液晶パネルＡが供給するようにしてある。
【００３０】
上記の走行体６１は、図１、２に示すように待機台Ｇと前方の下側ステージＣとの間でガイド手段Ｒにより進退走行できるようにしてある。
上記のガイド手段Ｓとしては、図１、２に示すように待機台Ｇの両側に並設した溝形の第１レール６２、６２と、下側ステージＣの両側縁上に並設した溝形の第２レール６３、６３とで構成され、走行体６１を構成する方形状フレーム６４の両側両端間に設けてある点在的な車輪６５が第１レール６２内に嵌め込まれており走行体６１の前進走行にともない第１レール６２から第２レール６３に車輪６５が乗り移って走行するようになっている。
【００３１】
すると、走行体６１上に供給してある液晶パネルＡ（この液晶パネルＡは、フレーム６４内の前後方に横架してある並列支承部材としてのバー材６７上で荷受けしてある）を下側ステージＣの直上に送り込むようになっている。
【００３２】
勿論、送り込まれた液晶パネルＡは、その後降下する上側ステージＥの下面に吸引保持されて荷受けする。
なお、液晶パネルＡの送り込み後に走行体６１を後退させて、次の液晶パネルＡの供給に備える。
上記走行体６１の進退走行方式は、人手や自走機能を具備して行う。
図中６８は、第１レール６２及び第２レール６３の支持部材である。
【００３３】
上記の合紙Ｂは、入れ込み兼払い出し装置Ｈにより引き出して下側ステージＣ上に供給され、下側ステージＣ上の供給ずみ合紙Ｂを前方に払い出すようになっている。
【００３４】
なお、図１に示すように待機台Ｇを下側ステージＣ側の高所端をピン６８により軸承して傾動自在とし、待機台Ｇの下面に先端を回動自在に連結した（末端も回動自在に連結した）シリンダ６９を伸長、収縮作用させて待機台Ｇを水平な位置と下り勾配な位置に起伏回動自在にしておくと、合紙Ｂ及び液晶パネルＡの待機台Ｇに対するセット作業が容易になるようにしたが、限定されない。
【００３５】
上記合紙Ｂの入れ込み兼払い出し装置Ｈの前後方向の走行は、例えば図１から図４に示すように、下側ステージＣの両側に敷設したレール１４と、このレール１４の直上で沿うサイドフレーム１５と、このサイドフレーム１５に設けてレール１４に走行自在に係合するスライダ１６と、レール１４とスライダ１６との両者に設けたリニアインダクションモーター１７とで行い、そして両サイドフレーム１５の前端（図１の入れ込み兼払い出し装置Ｈの反対側端）同士を連結する連結フレーム１８と、両サイドフレーム１５の両端に設けた前側クランプ爪１９及び後側クランプ爪２０とで構成され、前側クランプ爪１９及び後側クランプ爪２０は、シリンダ２１を作用させて開閉すると共に、サイドフレーム１５の上面と前側クランプ爪１９、後側クランプ爪２０とで合紙Ｂの前縁両端コーナー、後縁両端コーナーをクランプするようになっている。
【００３６】
すなわち、入れ込み兼払い出し装置Ｈが後退停止位置にあるとき、待機台Ｇの合紙Ｂの前縁両コーナーを後側クランプ爪２０で、また下側ステージＣ上の合紙Ｂの前縁両コーナーを前側クランプ爪１９で挟持できる位置関係になっている。すると、クランプ爪２０で下側ステージＣ上の合紙Ｂを払い出し、クランプ爪１９で待機台Ｇの合紙Ｂを引き出す。
【００３７】
また、上昇退避した上側ステージＥと下側ステージＣとの間で走行手段Ｊにより前後方向に進退走行する門形のフレームＫを設けて、このフレームＫの水平バー材２３の両端間に並列状に複数位置変更可能なプレート２９を設けて、このプレート２９の縦方向のレール３０にスライダ３５をスライド自在に係合したベース２４が設けてあり、この各ベース２４の上下には、昇降手段Ｍによる上昇で上側ステージＥの下面に吸引保持してある液晶パネルＡの下面に切断線ａ，ｂをスクライブする上側カッタ２５が、昇降手段Ｍによる降下で下側ステージＣの上面に吸引保持してある液晶パネルＡの上面に切断線ａ，ｂをスクライブする下側カッタ２６が設けてある。
【００３８】
上記水平バー材２３に対するベース２４の位置調整（スクライブする切断線ａ，ｂの位置を変更するため）は、例えば図１、２、３、５に示すように、水平バー材２３の背面上下に設けてあるレール２７にベース２４に設けてあるスライダ２８をスライド自在に係合すると共に、水平バー材２３の背面両端間全長とスライダ２８とに設けてあるリニアインダクションモーター１７により所定の位置にスライダ２８を移動調整するようにしてある。
【００３９】
上記門形フレームＫの走行手段Ｊは、例えば両レール１４の外側にレール３１を敷設して、このレール３１に門形フレームＫに両側材３２の下端に設けてあるスライダ３３を走行自在に係合すると共に、レール３１の上面全長とスライダ３３の下面に設けてあるリニアインダクションモーター１７により門形フレームＫを前後方向に走行させるようになってる。
【００４０】
なお、入れ込み兼払い出し装置Ｈ、各ベース２４及び門形フレームＫの走行にリニアインダクションモーター１７を用いて行うようにしたが、限定されず、その他の方式で走行させてもよい。
【００４１】
次に上記構成にもとづきスクライブ方法を説明する。
待機台Ｇの走行体６１上に、液晶パネルＡを供給しておく。
また、待機台Ｇの走行体６１の下位にも合紙Ｂを供給しておく。
【００４２】
まず、下側ステージＣの直上に走行体６１を図１１に示すように前進走行させる。
その後に昇降手段１２により上側ステージＥを降下させながら、走行体６１上の液晶パネルＡを上側ステージＥの下面に吸引保持する。
【００４３】
そして、液晶パネルＡの吸引保持を維持しながら、昇降手段１２によって上側ステージＥを上昇させたのち、フレームＫを図１左方向に走行させ、かつ上側カッタ２５を上昇させておくことで、上側ステージＥに保持させてある液晶パネルＡの下面に切断線ａをスクライブする。
【００４４】
また、待機台Ｇの合紙Ｂの先端縁両コーナーを後側クランプ爪２０により挟持したのち、前方に入れ込み兼払い出し装置Ｈを図１右方向に前進させながら合紙Ｂを引き出し、下側ステージＣの上に合紙Ｂの引き出し終了後（図１２に示す）、後側クランプ爪２０によるクランプを解除し、かつ後方に入れ込み兼払い出し装置Ｈを復帰させることで、合紙Ｂを入れ込むことができる。
【００４５】
その後に昇降手段１２により上側ステージＥを降下させて合紙Ｂの上にスクライブずみ液晶パネルＡを載置すると共に、上側ステージＥによる液晶パネルＡの吸引を解除すると共に、昇降手段１２により上側ステージＥを上昇させる。
【００４６】
このとき、上昇復帰させた上側ステージＥの下面に液晶パネルＡがなく、空の状態となるので、液晶パネルＡの供給ずみ走行体６１を下側ステージＥの直下（下側ステージＣの直上）に前進させたのち、上側ステージＥを降下して、上側ステージＥの下面に走行体６１上の液晶パネルＡを吸引保持させる。
【００４７】
次いで、図１３に示すように下側ステージＣの吸引にともない下側ステージＣ上に合紙Ｂと共に液晶パネルＡを吸引して保持すると共に、保持を続行しながらフレームＫを図１左方向に走行させ、かつ上側カッタ２５を降下させ、下側カッタ２６を上昇させておくことで、上側カッタ２５により図１８に示すように、上側ステージＥに吸引保持している液晶パネルＡの下面に、また下側ステージＣに合紙Ｂと共に吸引保持している液晶パネルＡの上面に図１３に示すように切断線ａをスクライブする。
【００４８】
上下面のスクライブした下側ステージＣ上の液晶パネルＡは、下側ステージＣ上の合紙Ｂの先端縁両コーナーを前側クランプ爪１９によりクランプし、次いで引き込み兼払い出し装置Ｈを前方に走行させることで、下側ステージＣ上の合紙Ｂと共に、上下面にスクライブずみの液晶パネルＡを前方の搬出台車Ｙ（図１、図２２に示す）に払い出し、次加工に（折割などの）搬送する。
【００４９】
以上のスクライブを繰り返すことで、液晶パネルＡを反転することなく、両面（上下面）をスクライブすると共に、合紙Ｂにスクライブずみ液晶パネルＡを載置して、合紙Ｂと共にスクライブずみ液晶パネルＡを払い出すことができる。
【００５０】
上記液晶パネルＡの下面及び上面に先のスクライブした一方向の切断線ａに対し交差する他方向の切断線ｂをスクライブ（上側カッタ２５及び下側カッタ２６により）する際、旋回手段Ｆにより上側ステージＥを、旋回手段Ｄにより下側ステージＣを９０°旋回させる。
【００５１】
次にこの考案の第２の実施形態を添付図面に基づいて説明する。
図１、２、４、７に示すように、フレームＫの水平バー材２３には、前述のスクライブした切断線ａ及びｂを下側ステージＣの合紙Ｂ上で折割する折割装置Ｎが設けてある。
【００５２】
上記の折割装置Ｎは、図１、２、４、７に示すように水平バー材２３の前面に昇降ガイド４２により上下方向にスライド折割バー４１を配置する。
【００５３】
上記の昇降ガイド４２は、水平バー材２３と折割バー４１との対向面一方向にレールを、他方にレールにより上下方向にスライドするスライダを複数並設する。
【００５４】
また、折割バー４１は、昇降手段４３により昇降するようにしてある。
上記の昇降手段４３は、図示の場合、水平バー材２３の両端にアーム４４を介して支持したサーボモーター４５と、このモーター４５の運転により回転するカム４６と、折割バー４１の両端面から内方に向けカム４６が嵌まり込む切欠き４７とで構成し、カム４６の回転にともない折割バー４１が昇降するようになっているが、限定されず、その他の方式で昇降させてもよい。
【００５５】
上記のように構成すると、モーター４５の運転により切欠き４７内でカム４６を回転させて折割バー４１を昇送することで、液晶パネルＡの切断線ａを押圧して折割し、切断線ａ毎の折割は、フレームＫを走行手段Ｊを間歇走行させて行う。
【００５６】
切断線ｂの折割は、旋回手段Ｄにより下側ステージＣを９０°旋回させ、その後に上述の手順をへて行う。
【００５７】
なお、各切断線ａ，ｂの折割に際し、カメラＳにより切断線ａ，ｂを読み取り、この読み取りにともない各切断線ａ，ｂに対する折割バー４１の加圧線が合致するようにフレームＫを走行させ、また、液晶パネルＡの下面の切断線ａの切り込み深さを、切断線ｂの切り込み深さより深くしておくことで、スムーズでかつ不良品の発生しない折割をすることができる。
【００５８】
勿論、カメラＳによる読み取りにともない一方向の切断線ａに対し他方の切断線ｂが直角に交差するよう、また液晶パネルＡの辺縁に対し切断線ａ、ｂが平行になるように旋回手段Ｄにより下側ステージＣを、旋回手段Ｆにより上側ステージＥを旋回させて修正する。
【００５９】
次にこの考案の第３の実施形態を添付図面に基づいて説明する。
図１、３、８、９、１０に示すように、ベース２４の板面に沿ってガイド５１により上下方向にスライドするバランス用のウエイト５２を設ける。
【００６０】
上記ベース２４は、ウエイト５２よりも軽い材質で形成され、ベース２４の昇降手段Ｍに連動機構５３を介しベース２４のスライドの反対方向にウエイト５２をスライドさせるようになっている。
【００６１】
上記の連動機構５３は、図７、８、９に示すように、中途に支軸５４を有する揺動板５５と、この揺動板５５の一端面から内方に設けた切欠き５６と、ウエイト５２に軸支して切欠き５６に嵌入する転子５７と、揺動板５５の他端面から内方に設けた切欠き５８と、ベース２４に軸支して切欠き５８に嵌入する転子５９とで構成し、ベース２４がスライドするとベース２４のスライドの反対方向にウエイト５２をスライドさせるようにしたが、この方式に限定されず、例えば図８に示すように支軸６０によりピニオン１０１を軸承して、このピニオン１０１にベース２４及びウエイト５２に設けてあるラック１０２を噛み合わせてもよい。要するに、ベース２４の反対方向にウエイト５２がスライドするものであればよい。
【００６２】
すると、上側カッタ２５と下側カッタ２６とのバランスが零になり、昇降手段Ｍによる加圧力が最適となって、良好なスクライブができる。
【００６３】
なお、合紙Ｂの上に液晶パネルＡを重ねた際、液晶パネルＡの周縁（各辺縁）から合紙Ｂの周縁（各辺縁）がはみ出すようになっている。
図中７１は、上側カッタ２５及び下側カッタ２６のホルダである。
【符号の説明】
【００６４】
Ａ  液晶パネル
ａ  切断線
ｂ  切断線
Ｂ  合紙
Ｃ  下側ステージ
Ｄ  旋回手段
Ｅ  上側ステージ
Ｆ  旋回手段
Ｇ  待機台
Ｈ  入れ込み兼払い出し装置
Ｊ  走行手段
Ｋ  フレーム
Ｌ  走行手段
Ｍ  昇降手段
Ｎ  折割装置
Ｒ  ガイド手段
１  ボックス
２  小孔
３  モーター
４  回転軸
５  ボックス
６  小孔
７  ベース
８  モーター
９  回転軸
１０  支持部材
１１  ガイドレール
１２  昇降手段
１３  ピン
１４  レール
１５  サイドフレーム
１６  スライダ
１７  リニアインダクションモーター
１８  連結フレーム
１９  前側クランプ爪
２０  後側クランプ爪
２１  シリンダ
２３  水平バー材
２４  ベース
２５  上側カッタ
２６  下側カッタ
２７  レール
２８  スライダ
２９  プレート
３０  レール
３１  レール
３２  側材
３３  スライダ
３５  スライダ
４１  折割バー
４２  昇降ガイド
４３  昇降手段
４４  アーム
４５  モーター
４６  カム
４７  切欠き
５１  ガイド
５２  ウエイト
５３  連動機構
５４  支軸
５５  揺動板
５６、５８  切欠き
５７、５９  転子
５０  支軸
６１  走行体
６２  第１レール
６３  第２レール
６４  フレーム
６５  車輪
６７  バー材
６８  ピン
６９  シリンダ
１０１  ピニオン
１０２  ラック
【図１】
0003184600.tif 000003
【図２】
0003184600.tif 000004
【図３】
0003184600.tif 000005
【図４】
0003184600.tif 000006
【図５】
0003184600.tif 000007
【図６】
0003184600.tif 000008
【図７】
0003184600.tif 000009
【図８】
0003184600.tif 000010
【図９】
0003184600.tif 000011
【図１０】
0003184600.tif 000012
【図１１】
0003184600.tif 000013
【図１２】
0003184600.tif 000014
【図１３】
0003184600.tif 000015
【図１４】
0003184600.tif 000016
【図１５】
0003184600.tif 000017
【図１６】
0003184600.tif 000018
【図１７】
0003184600.tif 000019
【図１８】
0003184600.tif 000020
【図１９】
0003184600.tif 000021
【図２０】
0003184600.tif 000022
【図２１】
0003184600.tif 000023
【図２２】
0003184600.tif 000024